(57)【要約】      （修正有）【課題】蛍光灯チューブ及びＬＥＤランプチューブの両用ランプソケットを提供する。【解決手段】蛍光灯チューブ及びＬＥＤランプチューブの両用ランプソケットは、主としてランプソケットに制御回路２を一つ設け、制御回路をランプソケットの嵌挿部１１に接続し、その中でも、該制御回路が、一つのシングルチップ・マイクロプロセッサ（ＭＰＵ）２１，電流検出ループ２２，交直流変換ループ２３とリレー２４を含み、電流検出ループにより、ランプソケットに嵌挿される一般的な蛍光灯及びＬＥＤランプの使用電流を検出し、更にシングルチップ・マイクロプロセッサの判定を経由することにより、リレーのピンの変換を駆動させ、嵌挿部が、異なるランプチューブに基づき、大きさの異なる交流電圧を供給し、ひいては同一のランプソケットが蛍光灯およびＬＥＤランプに適用することにより、インストール・ミスによるランプチューブの焼却を避ける。【選択図】図２
0003174196.tif 000002
【実用新案登録請求の範囲】
【請求項１】
蛍光灯チューブ及びＬＥＤランプチューブの両用ランプソケットは、ランプソケットの内に制御回路を一つ設けてなり、制御回路をランプソケットの両端の嵌挿部に接続し、該制御回路は、一つのシングルチップ・マイクロプロセッサ（ＭＰＵ），シングルチップ・マイクロプロセッサに接続される電流検出ループ，交直流変換ループとリレーを含み、電流検出ループにより、ランプソケットに嵌挿される蛍光灯またはＬＥＤランプの使用電流を検出し、更にシングルチップ・マイクロプロセッサにより、リレーのピンを駆動し、前記嵌挿部は、異なるランプチューブに基づいて、大きさの異なる交流電圧を供給し、同一のランプソケットを蛍光灯およびＬＥＤランプに適用して、インストール・ミスによるランプチューブの焼却を避けることを特徴とする、蛍光灯チューブ及びＬＥＤランプチューブの両用ランプソケット。
【請求項２】
該リレーの常開接点が、電子安定器ループに接続されることを特徴とする、請求項１に記載の蛍光灯チューブ及びＬＥＤランプチューブの両用ランプソケット。
【請求項３】
該リレーの常閉接点が、電流検出ループと外部入力交流電源に接続されることを特徴とする、請求項１に記載の蛍光灯チューブ及びＬＥＤランプチューブの両用ランプソケット。
【請求項４】
該リレーの中央接点が、ランプソケットの嵌挿部に接続されることを特徴とする、請求項１に記載の蛍光灯チューブ及びＬＥＤランプチューブの両用ランプソケット。
【考案の詳細な説明】
【技術分野】
【０００１】
本考案は、蛍光灯チューブ及びＬＥＤランプチューブの両用ランプソケットに関するもので、特に同一のランプソケットが蛍光灯およびＬＥＤランプに適用することにより、インストール・ミスによるランプチューブの焼却を避ける制御ループの創新のランプソケットを、指す。
【背景技術】
【０００２】
故に、環境保護の訴えのために、近年に省電力のＬＥＤランプが、広範に議論かつ応用され、但し一般的な蛍光灯およびＬＥＤランプの電気回路が異なり、従って誤用すれば、ランプチューブの焼却を招き、故にＬＥＤランプが蛍光灯に代わる時に、現段階にＬＥＤランプの専用ランプソケットを同時に交換する必要があり、且つ一般的な蛍光灯を兼用できず、面倒で且つ工事費をつぶすだけではなく、更に同一のランプソケットが蛍光灯およびＬＥＤランプを兼用できないので、ユーザーの経済的な負担をより招く。出願者は、これに鑑み、つまり該項業務に従事する多年の経験を持って継続的な研究・実験を経て、遂に制御ループの創新するランプソケットを改良しようと思うが、同一のランプソケットが蛍光灯およびＬＥＤランプに適用できる。
【考案の概要】
【考案が解決しようとする課題】
【０００３】
本考案の主要な目的は、即ち蛍光灯チューブ及びＬＥＤランプチューブの両用ランプソケットを提供するもので、同一のランプソケットが、電気回路の自動的な検出および切替により、蛍光灯およびＬＥＤランプに適用でき、インストール・ミスによるランプチューブの焼却を避ける。
【課題を解決するための手段】
【０００４】
前記の蛍光灯チューブ及びＬＥＤランプチューブの両用ランプソケットは、ランプソケットの内に制御回路を一つ設け、制御回路をランプソケットの嵌挿部に接続し、その中でも、該制御回路が、一つのシングルチップ・マイクロプロセッサ（ＭＰＵ），電流検出ループ，交直流変換ループとリレーを含み、電流検出ループにより、ランプソケットに嵌挿される一般的な蛍光灯またはＬＥＤランプの使用電流を検出し、更にシングルチップ・マイクロプロセッサの判定を経由することにより、リレーのピンの変換を駆動させ、嵌挿部が、異なるランプチューブに基づき、大きさの異なる交流電圧を供給し、ひいては同一のランプソケットが蛍光灯およびＬＥＤランプに適用することにより、インストール・ミスによるランプチューブの焼却を避ける。
【図面の簡単な説明】
【０００５】
【図１】本考案の斜視図である。
【図２】本考案のより好ましい実施例の電気回路図である。
【図３】蛍光灯に使用される本考案の実施例図である。
【図４】ＬＥＤランプに使用される本考案の実施例図である。
【実施例】
【０００６】
図１と図２を同時に参照するが、これらが本考案の斜視図およびより好ましい実施例の電気回路図である。図に示すように、本考案は、ランプソケット１の内に制御回路２を一つ設けてなり、制御回路２をランプソケット１の両端の嵌挿部１１に接続する。その中でも、該制御回路２が、一つのシングルチップ・マイクロプロセッサ（ＭＰＵ）２１，シングルチップ・マイクロプロセッサ２１に接続される電流検出ループ２２，交直流変換ループ２３とリレー２４を含み、リレー２４の常開接点２４１を電子安定器ループ２５に接続し、更にその常閉接点２４２を電流検出ループと交直流変換ループ２３とに接続し、そしてその中央接点２４３を嵌挿部１１に接続し、全体の制御回路２が交流電源（ＡＣ９０Ｖ〜２４０Ｖ）２６からヒューズ２７を経由して供給される。
【０００７】
前記の部材の組合せにより、蛍光灯チューブ及びＬＥＤランプチューブの両用ランプソケットを構成する。ユーザーがランプソケット１の嵌挿部１１に一般的な蛍光灯３又はＬＥＤランプ４を嵌挿する時に、その中の電流検出ループ２２が先ずランプソケット１に嵌挿された蛍光灯３又はＬＥＤランプ４の使用電流を検出し、更にシングルチップ・マイクロプロセッサ２１の判定を経由することにより、リレー２４のピンの変換を駆動させ、嵌挿部が、異なるランプチューブに基づき、大きさの異なる交流電圧を供給し、ひいては同一のランプソケット１が蛍光灯３およびＬＥＤランプ４に適用することにより、インストール・ミスによるランプチューブの焼却を避ける。
【０００８】
図３を参照するが、これが蛍光灯に使用される本考案の実施例図である。図１に対応し、図に示すように、本考案が一般的な蛍光灯３を使用される時に、蛍光灯３の両端を嵌挿部１１に嵌挿した後に、電流検出ループ２２が先ずランプソケット１に嵌挿された蛍光灯３の使用電流を検出し、シングルチップ・マイクロプロセッサ２１の判定を経由することにより、リレー２４を駆動させ、その中央接点２４３が常開接点２４１を接続させ、電子安定器ループ２５を導通し、ひいては嵌挿部１１に嵌挿された蛍光灯を点灯することにより、インストール・ミスによるランプチューブの焼却を避ける。
【０００９】
図４を参照するが、これがＬＥＤランプに使用される本考案の実施例図である。図１に対応し、図に示すように、本考案がＬＥＤランプ４を使用される時に、ＬＥＤランプ４の両端を嵌挿部１１に嵌挿した後に、電流検出ループ２２が先ずランプソケット１に嵌挿されたＬＥＤランプ４の使用電流を検出し、シングルチップ・マイクロプロセッサ２１の判定を経由することにより、リレー２４を駆動させ、その中央接点２４３が常開接点２４１を接続させ、同時に電子安定器ループ２５を遮断し、異なる交流ループにて、ひいては嵌挿部１１に嵌挿されたＬＥＤランプ４を点灯することにより、インストール・ミスによるランプチューブの焼却を避け、同一のランプソケット１が蛍光灯３およびＬＥＤランプ４に適用する。
【００１０】
上記を総合し、本考案は、制御回路を設けるランプソケットにて、蛍光灯チューブ及びＬＥＤランプチューブの両用ランプソケットを構成することにより、同一のランプソケットが、制御回路の自動的な検出および切替にて、蛍光灯およびＬＥＤランプに適用でき、インストール・ミスによるランプチューブの焼却を避ける。前記の実施例は、ただ本考案のより好ましい実施方式のみを説明するだけで、本考案の実用新案登録請求の範囲を限定するために用いられるものではなく、何れも多少な修飾・変更を経由しても、依然として本考案の要義所在を失わず、更に本考案の精神範疇をも逸脱しない。  
【符号の説明】
【００１１】
１      ランプソケット
２      制御回路
３      蛍光灯
４      ＬＥＤランプ
１１    嵌挿部  
２１    マイクロプロセッサ（ＭＰＵ）  
２２    電流検出ループ  
２３    交直流変換ループ    
２４    リレー
２５    電子安定器ループ
２６    交流電源
２７    ヒューズ
２４１  常開接点
２４２  常閉接点
２４３  中央接点
【図１】
0003174196.tif 000003
【図２】
0003174196.tif 000004
【図３】
0003174196.tif 000005
【図４】
0003174196.tif 000006